(57)【要約】  【課題】センサライトを設置してから実際に検知可能なエリアの範囲を確認するための作業が容易で、従来に比べて確認に要する時間を大幅に短縮できるセンサライトを提供する。  【解決手段】  検知エリア内への不審者等の侵入時にライト２が一定時間点灯する自動点灯モードを備えたセンサライト１において、検知エリアの範囲を確認可能な検知エリア確認モードＢを設けている。ここで、検知エリア確認モードとは、人体検知センサにより検知される出力信号レベルがしきい値を超えているか否かを判定し、しきい値を超えていると判定している間は付属の報知手段４（５）に出力して音または光で報知するとともに、その検知された出力信号レベルがしきい値以下に戻っているか否かを判定し、しきい値以下に戻っていると判定すると、報知手段４（５）への出力を停止する。【選択図】      図６
2010117895.tif 000002
【特許請求の範囲】
【請求項１】
検知エリア内への侵入者の侵入時にライトが一定時間点灯する自動点灯モードを備えたセンサライトにおいて、
前記検知エリア内への侵入者の侵入の間だけ付属の報知手段で報知する検知エリア確認モードを備えるとともに、前記自動点灯モードと前記検知エリア確認モードとのモード切換手段を設けたことを特徴とするセンサライト。
【請求項２】
前記センサライトが人体検知センサを備え、前記モード切換手段による前記検知エリア確認モードの選択時に、前記人体検知センサにより検知される出力信号レベルがあらかじめ設定されたしきい値を超えているか否かを判定し、しきい値を超えていると判定すると、その判定している間だけ音または光の少なくとも一方による報知手段に出力して報知する構成にしたことを特徴とする請求項1記載のセンサライト。
【請求項３】
前記センサライトが昼夜を検知する照度センサを備え、前記モード切換手段による前記検知エリア確認モードの選択時に、前記照度センサにより夜と判定されたときには、光による報知手段に切り換えて光で報知する一方、前記照度センサにより昼と判定されたときは、音または音と光による報知手段に切り換えて音または音と光の両方で報知する構成にしたことを特徴とする請求項１または２記載のセンサライト。
【請求項４】
前記検知エリア確認モードの選択時に、前記報知手段が昼夜問わず音のみ、昼夜問わず光のみ、あるいは昼夜問わず音と光の両方のいずれかに切り換える切換手段を備えたことを特徴とする請求項１または２記載のセンサライト。
【請求項５】
前記人体検知センサが焦電型赤外線センサであることを特徴とする請求項１〜４のいずれか記載のセンサライト。
【発明の詳細な説明】
【技術分野】
【０００１】
本発明は、特に防犯（セキュリティ）を目的として検知エリア内への不審者等の侵入時にライト（照明用光源）が点灯するセンサライトに関するものである。この種のセンサライトは、通常、その検知エリア内に不審者等が侵入したときにライトが一定時間点灯する自動点灯モードを備えている。
【背景技術】
【０００２】
上記種類のセンサライトは、玄関や庭先をはじめ家屋の周辺に設置され、不審者等が検知エリア内に侵入したときに、これを検知して一定時間(通常、タイマーにより設定される時間）ライトを点灯したり、ライトの点灯とともに警報音を鳴らしたりして不審者等を威嚇する。このため、センサライトは人体検知センサを備えており、その人体検知センサは、センサライト本体に対しセンサで検知する方向を変えられるように配備されるのが一般的である。
【０００３】
そこで、通常は家屋の壁や柱などにセンサライトが設置された状態で、ユーザーが不審者等の侵入を検知しようとする方向に人体検知センサの向きを調整して使用することになる。しかし、メーカーや機種などによってその人体検知センサによる検知エリアの範囲は一定していないため、人体検知センサの向きを調整する場合あるいは調整後に検知エリアの範囲、いいかえればどの範囲が人体検知可能な範囲（境界位置を含む）かを確認することが必要になる。
【０００４】
ところが上記のような場合、従来の一般的なセンサライトは特に検知エリアの範囲を確認するための専用のモードを備えていないので、上記の自動点灯モードを使って検知エリアの範囲を確認している。
【０００５】
センサライトに関する先行技術として、センサライトに配備された人体検知センサの検知エリア内に不審者等が侵入すると、ライトが自動的に点灯する自動点灯モードを備えたセンサライトが知られている（たとえば、特許文献１参照）。
【特許文献１】特開平１０−１４４１３４号公報（段落０００８〜００１３および図１・図２）
【発明の開示】
【発明が解決しようとする課題】
【０００６】
しかしながら、従来のセンサライトでは、自動点灯モードで検知エリア内の範囲を確認しようとすれば、次のような不都合がある。すなわち、
自動点灯モードにおいて、検知エリア内に人が入ったり、同エリア内から人が出たり、同エリア内で人が移動したり動いたりすると、人体検知センサがたとえば焦電型赤外線センサの場合には、検知エリア内における侵入者の人体から放出される赤外線エネルギーの変化を検出し、その出力信号レベルが図５に示す上側または下側のしきい値を超えているか否かを信号レベル判定回路で判定する。なお、焦電型赤外線センサの場合は人が動くことにより出力信号が上側（＋側）または下側（−側）に変化するので、これに対応してしきい値を上側と下側とでそれぞれ設定している。そして、判定回路により出力信号レベルがしきい値を超えていると判定されると、自動点灯モードでは、タイマー８が動作を開始し、一定時間（タイマー８により設定した時間（数秒〜数分））の間、ライト２（図３参照）が点灯する。なお、昼夜を検知する照度センサを備えたセンサライトでは、昼間はライト２を点灯させずにブザーで警報するタイプのものがあるが、ここでは、このようなタイプのセンサライトについても、検知エリア内で侵入者を検知するとタイマーが働いて一定時間ライトの点灯状態やブザーによる警報状態を継続するモードを自動点灯モードという。
【０００７】
したがって、従来はタイマーを最短時間（たとえば５秒）に設定した上で、検知エリア内およびその境界線と推測される場所を歩いて移動しながらライト２が点灯するか否かを確認し、点灯すると消灯するまで動かずに静止する。これは、ライト２が点灯した状態で仮に体を動かすと検知エリア内での動作であるので、人体検知センサ３（図３）により検知される出力信号レベルがしきい値を超えているため、今度はリトリガブル機能（延長機能）が働いて再度タイマー８が動作を開始し、点灯時間が延長されるからである。このため、ライト２が点灯した状態では静止していなければならない。以上のような動作を繰り返し行うことで、検知エリアの範囲を確認することができる。このように、検知エリアを確認するためには、ライト２が点灯したときにはタイマー８の設定時間は静止していなければならず、また時間もかかるなど、確認作業は非常に手間がかかっていた。しかも、確認後、人体検知エリアが検知しようとする領域内に入っていないことが分かった場合には、人体検知センサ３の方向を変更した上で、再度その範囲を確認しなければならない。さらに、自動点灯モードで点灯させる時間についても、検知エリアの範囲を確認後に再度設定し直す必要があった。
【０００８】
この発明は上記の点に鑑みなされたもので、センサライトを設置してから実際に検知可能なエリアの範囲を確認するための作業が容易で、従来に比べて確認に要する時間を大幅に短縮できるセンサライトを提供することを目的としている。
【課題を解決するための手段】
【０００９】
上記の目的を達成するために本発明にかかるセンサライトは、検知エリア内への侵入者の侵入時にライトが一定時間点灯する自動点灯モードを備えたセンサライトにおいて、前記検知エリア内への侵入者の侵入の間だけ付属の報知手段で報知する検知エリア確認モードを備えるとともに、前記自動点灯モードと前記検知エリア確認モードとのモード切換手段を設けたことを特徴とする。ここで、前記検知エリア確認モードとは、たとえば図４に示すように、人体検知センサ(赤外線センサ）により検知される出力信号レベル（強さ）が上側（＋側）しきい値または下側（−側）しきい値を超えているか否かを判定し、しきい値を超えていると判定している間は付属の報知手段に出力して音または光で報知する一方、その検知された出力信号レベルが上側（＋側）しきい値または下側（−側）しきい値以下に戻っているか否かを判定し、しきい値以下であると判定すると、報知手段への出力を中止するステップ（工程）を備えたものである。
【００１０】
上記の構成を有する本発明のセンサライトによれば、前記モード切換手段により検知エリア確認モードに切り換えた状態では、図４に示すように、報知手段に出力され、検知エリアの範囲内で侵入者を検知していることを報知しているのは、人体検知センサによる検知される出力信号レベルがしきい値を超えている間（時間）だけであり、その時間は非常に短い上に、たとえば検知エリアの範囲内から外に出ると、即座に音や光などによる報知が中止される。したがって、従来のセンサライト（自動点灯モード）により検知エリアの範囲を確認する場合と違って、ライトの点灯後に一定時間静止する必要がなく、確認作業が従来に比べて非常に容易であり、確認作業に要する時間が大幅に短縮される。また、検知エリアの範囲内で侵入者を検知すると同時に検知エリア内に入ったことを報知手段で確認でき、また検知エリアから外へ出ると同時に出たことを確認できるから、検知エリアの境界位置を正確に確認することができ、しかも確認後に従来と違って静止状態で一定時間待機する必要がないので、無駄な時間がなく確認に要する時間が短縮される。さらに、検知エリアの確認後は、モード切換手段により自動点灯モードに切り換え、通常のセンサライトとして使用できる。
【００１１】
請求項２に記載のように、前記センサライトが人体検知センサを備え、前記モード切換手段による前記検知エリア確認モードの選択時に、前記人体検知センサにより検知される出力信号レベルがあらかじめ設定されたしきい値を超えているか否かを判定し、しきい値を超えている判定すると、その（しきい値を超えていると）判定している間だけ音または光の少なくとも一方による報知手段に出力して報知する構成にすることができる。
【００１２】
このように構成すれば、ブザー等の音による報知またはLED照明等の光による報知あるいは音と光の両方による報知にて侵入者であるユーザーに知らせるので、周囲の状況や時間帯などを考慮して周辺に迷惑を及ぼさないような最適な方法で検知エリアの範囲を確認できる。また、検知エリア内か否かを報知手段にて逐次確認できるとともに、静止状態で待機する必要もないので、作業が容易で確認に要する時間が大幅に短縮できる。
【００１３】
請求項３に記載のように、前記センサライトが昼夜を検知する照度センサを備え、前記モード切換手段による前記検知エリア確認モードの選択時に、前記照度センサにより夜と判定されたときには、光による報知手段に切り換えて光で報知する一方、前記照度センサにより昼と判定されたときは、音または音と光による報知手段に切り換えて音または音と光の両方で報知する構成にすることが好ましい。
【００１４】
このように構成すれば、夜間はＬＥＤなどの照明具を点灯させて報知するので、報知音を鳴らして周辺に迷惑をかけることがなく、また夜間なのでＬＥＤなどの照明具の点灯で確実にユーザーに知らせることができるとともに、昼間は報知音を鳴らしても周辺に迷惑をかけるおそれが少ないため、報知音あるいは報知音と光の両方による報知手段で確実にユーザーに知らせることができる。しかも、検知エリア確認モードをモード切換手段により選択するだけで、昼夜検知センサで夜と昼とを検知し、夜間用と昼間用の報知手段の切換を自動的に行うので、取り扱いが容易で利便性に優れている。
【００１５】
請求項４に記載のように、前記検知エリア確認モードの選択時に、前記報知手段が昼夜問わず音のみ、昼夜問わずLED等による光のみ、あるいは昼夜問わず音とLED等による光のいずれかに切り換える切換手段を備えていてもよい。
【００１６】
請求項５に記載のように、前記人体検知センサが焦電型赤外線センサであってもよい。
【００１７】
人体検知センサが焦電物質の焦電特性を利用したもので、人体から放出される赤外線エネルギーを検出するセンサであるから、基準のレベルを中心に上下にしきい値を設定し、しきい値を超えるときに検知するようにできる。また、焦電型赤外線センサは波長依存性がない等の優れた特性をもっている。
【００１８】
このようにすれば、周囲の状況に合わせて最適な報知手段をその都度切換手段にて切り換えて選択できる。
【発明の効果】
【００１９】
本発明に係るセンサライトは上記のような構成を備えるから、次のような優れた効果がある。
【００２０】
従来は人体検知センサによる検知エリアの範囲であると推測できる場所を実際に歩いて移動し、ライトが点灯したときにはその都度一定時間静止して待機する必要があり、作業に手間がかかっていたが、そのような手間が省かれるので、検知エリアの確認作業が容易で、作業時間が大幅に短縮される。したがって、人体検知センサの向きの調整だけでなく、センサの向きの調整だけでは所望の検知エリアを設定できない場合にセンサライトの設置位置を変更するなどの、種々の作業にかかる労力を軽減できる。
【発明を実施するための最良の形態】
【００２１】
以下、本発明にかかるセンサライトの実施の形態を図面に基づいて説明する。
【００２２】
図１は一実施形態にかかるセンサライトの制御系のブロック図、図２は本発明のセンサライトに適用される検知エリア確認モードの一実施例を示すフローチャートである。図３は検知エリア確認モードにおける検知時と非検知時とにおける動作説明図である。図４は本発明のセンサライトに適用される検知エリア確認モードにおける検知動作を示す説明図である。図５は従来からセンサライトに適用されている自動点灯モードにおける検知動作を示す説明図である。
【００２３】
図３に示すように、本形態のセンサライト１は本体１ａの上端に、光源としてのライト２を照射位置を変更可能に備え、下端に人体検知センサ３を検知位置（主にセンサ３の向き）を変更可能に備えている。人体検知センサ３には、本形態では焦電型赤外線センサを用いている。また、センサライト本体１ａには、後述する検知エリア確認モードの選択時に検知エリア内であることを報知する報知手段として、音で報知するブザー４と光で報知するＬＥＤを用いた赤色または緑色などのＬＥＤ照明５を装着している。さらに、周囲の明るさを検出して昼夜を判定するために照度センサ６（図１）をセンサライト本体１ａの上端面に装着しているが、本例では照度センサ６にはフォトトランジスタを用いている。照度センサ６は受光した光の明るさのレベルに応じた電流を分圧抵抗に流すことにより抵抗器にかかる電圧が可変することを利用したもので、抵抗器にかかる電圧が所定のレベル以上のときは昼間と判定し、所定のレベル以下の時には夜間と判定する。図示は省略するが、その他に、モード切換手段としてたとえばモード選択スイッチ、切換手段としてたとえば報知手段切換スイッチ、報知手段としてたとえばＬＥＤ照明、ブザーなどがセンサライト本体１ａに組み込まれている。
【００２４】
センサライト１の制御系は、図１に示すようにセンサライト本体１ａ内にマイクロコンピュータからなる制御部７を備えている。たとえばモード選択スイッチ(図示せず）により自動点灯モードなどのモードが選択されると、選択されたモード信号が制御部７に入力され、制御部７で所望のモードが選択される。制御部７には、人体検知センサ３により不審者等を検知したときに信号が送られ、また照度センサ６からも明るさの信号が送られる。一方、制御部７では選択されたモードに応じて、ライト２へこれを点灯させるための信号を出力したり、ブザー４やＬＥＤ照明５へ報知のための信号を出力したりする。
【００２５】
本形態のセンサライト１は、従来のセンサライトと同様に自動点灯モードＡ(図５）を備えるとともに、本発明の特徴部分である検知エリア確認モードＢ(図４）を備えている。ここで、両モードの相違点について詳しく説明する。自動点灯モードＡは、図５に示すように基準の出力信号レベルを中心に一定の信号レベルの幅をもって上側と下側とにしきい値を設定し、人体検知センサ３により検知される出力信号レベルが上下のしきい値を超えたときに、検知エリア内に人が侵入していると判定する。この点については、図４に示す検知エリア確認モードＢについても共通している。
【００２６】
両者の相違点は、自動点灯モードＡでは図５に示すように、人体検知センサ３により検知された出力信号レベルがしきい値を超えていると、制御部７がライト２に信号を出力してライト２を点灯させる。同時にタイマー８（図５）の駆動を開始させ、設定した時間（たとえば１０秒）点灯状態を継続する。また、通常はタイマー８とは別にリトリガブル（延長）機能が付加されており、ライト２の点灯状態が継続している間に、検知エリア内で人が移動するなどして人体検知センサ３により検知された出力信号レベルが再びしきい値を超えると、タイマー８が元の駆動開始状態（０秒）に戻って再び駆動を開始する。このため、ライト２の点灯状態が断続することなく長時間（たとえば３０秒以上）継続することになる。
【００２７】
これに対し、検知エリア確認モードＢでは図４に示すように、人体検知センサ３により検知される出力信号レベルがしきい値を超えている間だけ、ＬＥＤ照明５が点灯したりブザー４がピーと鳴ったりして使用者に知らせる。つまり、使用者が検知エリア内にいる間だけ報知手段４・５で知らせるから、検知エリアの範囲はもとよりその境界線についても正確に確認することができる、という点において自動点灯モードＡと大きく相違する。
【００２８】
続いて、本形態のセンサライト１について検知エリア確認モードＢ１における動作手順を図２に基づいて説明する。
【００２９】
図２に示す検知エリア確認モードＢ１は、昼夜を問わずＬＥＤ照明５の点灯による光の報知またはブザー４がピー音を発する音により報知する実施の形態で、モード選択スイッチと報知手段切換スイッチとで選択される。
【００３０】
1)  まず、センサライト１を所定の箇所に設置した状態で、人体検知センサ３の向きを検知しようとする方向に向けて調整する。
【００３１】
2)  この状態で、センサライト１のスイッチを入れて起動（スタート）する（ステップＳ１）。
【００３２】
3)  センサライト１はウォーミングアップ動作を行う（ステップＳ２）。このウォーミングアップは人体検知センサ３の素子が安定するのに必要な時間である。
【００３３】
4)  通常、自動点灯モードＡが自動的に選択される（ステップＳ３）ので、モード選択スイッチにより、検知エリア確認モードＢ１を選択する。
【００３４】
5)  検知エリア確認モードＢ１に切り換えられているか否かを制御部7が判断する（ステップＳ４）。
【００３５】
6)  ＮＯであればステップＳ３の自動点灯モードＡへ戻り、ＹＥＳであれば、人体検知センサ３により検知される出力信号レベルがしきい値を超えているか否かを判断する（ステップＳ５）。
【００３６】
7)  ＮＯであればステップＳ５の手前へ戻り、ＹＥＳであれば、すなわちしきい値を超えていれば、図３（ｂ）のようにＬＥＤ照明５が点灯するかブザー４がピーと鳴るかまたは両方４・５とも動作するかして使用者に報知する（ステップＳ６）。なお、しきい値を超えていない（ＮＯの）場合とは図３（ａ）のように、使用者が検知エリアの外にいる場合か、検知エリア内にいても静止している場合のいずれかである。
【００３７】
8)  報知後、再び検知エリア確認モードＢ１に切り換えられているか否かを制御部7が
判断する（ステップＳ７）。
【００３８】
9)  ＹＥＳであれば、モード選択スイッチにて自動点灯モードＡに切換操作された状態でステップＳ３の自動点灯モードＡへ戻り、ＮＯであれば、検知エリア確認モードＢ１が維持されたままの状態でステップＳ５へ戻って人体検知センサ３により検知される出力信号レベルがしきい値を超えているか否かを判断する。そして、ステップＳ３またはステップＳ５以降の一連のステップが順番に繰り返し行われる。なお、ステップＳ６では光または報知音のいずれか一方にて報知するようにしているが、光および報知音の両方で報知するようにしてもよい。
【００３９】
図６は検知エリア確認モードＢ２の別の実施形態を示すフローチャートである。この図６に示す検知エリア確認モードＢ２は、センサライト１が照度センサ６を備え、昼夜を判別して昼間はブザー４がピー音を発して音により報知する一方、夜間はＬＥＤ照明部５の点灯による光により報知する実施例で、上記実施例のモードＢ１と同様にモード選択スイッチと報知手段切換スイッチとで選択される。
【００４０】
別の実施形態にかかる検知エリア確認モードＢ２における動作手順を図６に基づいて説明する。
【００４１】
1)  まず、センサライト１を所定の箇所に設置した状態で、人体検知センサ３の向きを検知しようとする方向に向けて調整する。
【００４２】
2)  この状態で、センサライト１のスイッチを入れて起動（スタート）する（ステップＳ１）。
【００４３】
3)  センサライト１はウォーミングアップ動作を行う（ステップＳ２）。
【００４４】
4)  自動点灯モードＡが自動的に選択される（ステップＳ３）ので、モード選択スイッチにより、検知エリア確認モードＢ２を選択する。
【００４５】
5)  検知エリア確認モードＢ２に切り換えられているか否かを制御部7が判断する（ステップＳ４）。
【００４６】
6)  ＮＯであれば、ステップＳ３の自動点灯モードＡへ戻り、ＹＥＳであれば、照度センサ６により明るさ（昼夜の別）を判定する。すなわち、明るい（昼）か否かを判定する（ステップＳ５）。
【００４７】
7)  ＹＥＳつまり明るいと判定されれば、人体検知センサ３により検知される出力信号レベルがしきい値を超えているか否かを判断する（ステップＳ６）。
【００４８】
8)  一方、ＮＯつまり暗いと判定された場合にも、人体検知センサ３により検知される出力信号レベルがしきい値を超えているか否かを判断する（ステップＳ７）。
【００４９】
9)  ステップＳ６・ステップＳ７に対し、いずれもＮＯであれば、ステップＳ６またはステップＳ７の手前へ戻り、ステップＳ６またはステップＳ７で人体検知センサ３により検知される出力信号レベルがしきい値を超えているか否かを判断する。なお、しきい値を超えていない（ＮＯの）場合とは図７（ａ）のように、使用者が検知エリアの外にいる場合か、検知エリア内にいても静止している場合のいずれかである。
【００５０】
10) ステップＳ６に対し、ＹＥＳであれば、すなわちしきい値を超えていれば、図７（ｂ）の上段に示すように昼間はブザー４が鳴って使用者に報知するか、もしくはブザー４と光５の両方により報知する（ステップＳ８）。
【００５１】
11) ステップＳ７に対し、ＹＥＳであれば、すなわちしきい値を超えていれば、図７（ｂ）の下段に示すように夜間はＬＥＤ照明部５が点灯して使用者に報知する（ステップＳ９）。
【００５２】
12) ステップＳ８・ステップＳ９において検知エリア内か否かを報知後、モード選択スイッチが操作されたか否かを制御部7が判断する（ステップＳ１０・ステップＳ１１）。
【００５３】
13) ステップＳ１０・ステップＳ１１に対しＹＥＳ（モード選択スイッチにより自動点灯モードに切り換えられた状態）であれば、それぞれステップＳ３の自動点灯モードＡへ戻り、ステップＳ３以降の一連の工程が順番に繰り返し行われる。
【００５４】
ＮＯであれば、ステップＳ６またはステップＳ７へ戻って、人体検知センサ３により検知される出力信号レベルがしきい値を超えているか否かを判断する。そして、ステップＳ６またはステップＳ７以降の一連のステップが順番に繰り返し行われる。
【００５５】
上記に検知エリア確認モードＢについて２つの実施形態を例示したが，上記実施形態２の検知エリア確認モードＢ２において、ステップＳ８にて報知音により報知するようにしたが，報知音および光の両方で報知するようにしてもよい。
【００５６】
また、光による報知手段としてＬＥＤ照明５を用いたが、ＬＥＤ照明５に代えてライト２をフラッシングさせて報知するようにしてもよい。
【図面の簡単な説明】
【００５７】
【図１】本発明の一実施形態にかかるセンサライトの制御系のブロック図である。
【図２】本発明のセンサライトに適用される検知エリア確認モードＢ１の一実施例を示すフローチャートである。
【図３】本発明のセンサライトに適用される検知エリア確認モードＢ１における非検知時と検知時とにおける動作説明図で、図３（ａ）は非検知時を、図３（ｂ）は検知時を表す。
【図４】本発明のセンサライトに適用される検知エリア確認モードにおける検知動作を示す説明図である。
【図５】従来からセンサライトに適用されている自動点灯モードにおける検知動作を示す説明図である。
【図６】別の実施形態かかる検知エリア確認モードＢ２を示すフローチャートである。
【図７】本発明のセンサライトに適用される検知エリア確認モードＢ２における検知時と非検知時とにおける動作説明図で、図７（ａ）は非検知時を、図７（ｂ）は検知時を表す。
【符号の説明】
【００５８】
１  センサライト
１ａセンサライト本体
２  ライト（光源）
３  人体検知センサ
４  ブザー（音報知手段）
５  ＬＥＤ照明（光報知手段）
６  照度センサ
７  制御部
８  タイマー
【図１】
2010117895.tif 000003
【図２】
2010117895.tif 000004
【図３】
2010117895.tif 000005
【図４】
2010117895.tif 000006
【図５】
2010117895.tif 000007
【図６】
2010117895.tif 000008
【図７】
2010117895.tif 000009